(57)【要約】【課題】隣り合う側溝の継目部分の各対向壁部内面間に同時圧接可能な圧接面をもつ左右一対の矯正部材を対向配置し、ねじ杆体を一方向に回動することによりねじ杆体の両端部にそれぞれ螺着された連結部材を介して左右一対の矯正部材を対向壁部内面同時圧接することができ、隣り合う側溝の継目部分のずれを矯正することができ、目違いの発生を抑制することができ、側溝の布設を良好に行うことができると共に作業性を向上することができる。【解決手段】隣り合う側溝の継目部分の各対向壁部内面間に同時圧接可能な圧接面をもつ左右一対の矯正部材１・１と、中央を境にして一方端部を右ねじに形成すると共に他方端部を左ねじに形成したねじ杆体２と、ねじ杆体の両端部にそれぞれ螺着され、上記各矯正部材を取付可能な連結部材３とからなる。【選択図】        図１
2004257029.tif 000002
【特許請求の範囲】
【請求項１】
隣り合う側溝の継目部分の各対向壁部内面間に同時圧接可能な圧接面をもつ左右一対の矯正部材と、中央を境にして一方端部を右ねじに形成すると共に他方端部を左ねじに形成したねじ杆体と、該ねじ杆体の両端部にそれぞれ螺着され、上記各矯正部材を取付可能な連結部材とからなることを特徴とする側溝布設用矯正具。
【請求項２】
上記ねじ杆体にハンドル杆を設けてなることを特徴とする請求項１記載の側溝布設用矯正具。
【請求項３】
上記連結部材に上記矯正部材を首振機構により首振動作自在に取付けてなることを特徴とする請求項１又は２記載の側溝布設用矯正具。
【発明の詳細な説明】
【０００１】
【発明の属する技術分野】
本発明は例えばＵ字溝、自由勾配側溝等の側溝を布設する際に用いられる側溝布設用矯正具に関するものである。
【０００２】
【従来の技術】
従来この種のＵ字側溝や自由勾配側溝等の側溝布設工事においては、根切り、転圧、均しコンクリート後に側溝を縦列状に布設し、隣り合う側溝の継目部分に相対的なずれよる目違いを防ぐため、材木や角材等を落とし込んで切り張りとし、目違いを修正しつつ布設するようにしている。
【０００３】
【発明が解決しようとする課題】
しかしながらこの従来構造の場合、材木や角材等を落とし込んで切り張りとする構造となっているため、切り張りの長さの微調節が困難であると共に切り張りの浮きやねじれ、乾燥収縮による外れが生じ易く、目違いの発生を阻止することが困難となり、布設作業性が低下することがあるという不都合を有している。
【０００４】
【課題を解決するための手段】
本発明はこのような不都合を解決することを目的とし、本発明のうちで、請求項１記載の発明は、隣り合う側溝の継目部分の各対向壁部内面間に同時圧接可能な圧接面をもつ左右一対の矯正部材と、中央を境にして一方端部を右ねじに形成すると共に他方端部を左ねじに形成したねじ杆体と、該ねじ杆体の両端部にそれぞれ螺着され、上記各矯正部材を取付可能な連結部材とからなることを特徴とする側溝布設用矯正具にある。
【０００５】
又、請求項２記載の発明は、上記ねじ杆体にハンドル杆を設けてなることを特徴とするものであり、又、請求項３記載の発明は、上記連結部材に上記矯正部材を首振機構により首振動作自在に取付けてなることを特徴とするものである。
【０００６】
【発明の実施の形態】
図１乃至図８は本発明の実施の形態例を示し、図１乃至図６は第一形態例、図７、図８は第二形態例である。
【０００７】
図１乃至図６の第一形態例において、１・１は左右一対の矯正部材、２はねじ杆体、３は連結部材であって、この矯正部材１・１は四角板材１ａにゴムや合成樹脂等の緩衝材１ｂを取り付けてなり、この矯正部材１・１には隣り合う側溝Ｗ・Ｗの継目部分Ｗ１・Ｗ１の各対向壁部内面Ｍ・Ｍ・Ｍ・Ｍ間に同時圧接可能な圧接面１ｃ・１ｃが形成されている。
【０００８】
又、このねじ杆体２は、中央を境にして一方端部に右ねじ２ａが形成され、他方端部に左ねじ２ｂが形成され、中央部分にハンドル杆４が挿通されている。
【０００９】
又、この連結部材３・３は、円筒状形成され、一方端部にねじ杆体２の右ねじ２ａが螺着されるめねじ部３ａが形成され、他方端部にねじ杆体２の左ねじ２ｂが螺着されるめねじ部３ｂが形成され、各連結部材３・３にそれぞれ首振機構５・５により首振動作自在に矯正部材１・１を取り付けて構成している。
【００１０】
この場合、首振機構５・５として、上記矯正部材１・１の裏面に二股状のブラケット１ｄ・１ｄを固着し、ブラケット１ｄ・１ｄの二股部分に連結部材３・３を嵌合して支持軸５ａ・５ａにより連結部材３・３に矯正部材１・１を首振動作自在に取付けて構成している。
【００１１】
この実施の第一形態例は上記構成であるから、図２の如く、隣り合う側溝Ｗ・Ｗの継目部分Ｗ１・Ｗ１の各対向壁部内面Ｍ・Ｍ・Ｍ・Ｍ間に同時圧接可能な圧接面１ｃをもつ左右一対の矯正部材１・１を対向配置し、連結部材３を手で握って回り止めした状態で、中央を境にして一方端部を右ねじ２ａに形成すると共に他方端部を左ねじ２ａに形成したねじ杆体２を一方向に回動することによりねじ杆体２の両端部にそれぞれ螺着された連結部材３を対向壁部内面Ｍ・Ｍ・Ｍ・Ｍに向けて突出し、左右一対の矯正部材１・１が対向壁部内面Ｍ・Ｍ・Ｍ・Ｍに当接すると矯正部材１・１は摩擦により回り止めされるので、連結部材３から手を離した状態でさらにねじ杆体２を一方向に回動することにより矯正部材１・１は隣り合う側溝Ｗ・Ｗの継目部分Ｗ１・Ｗ１の各対向壁部内面Ｍ・Ｍ・Ｍ・Ｍ間に圧接され、この圧接は各対向壁部内面Ｍ・Ｍ・Ｍ・Ｍ間に同時圧接されるため、隣り合う側溝Ｗ・Ｗの継目部分のずれを矯正することができ、目違いの発生を抑制することができ、側溝の布設を良好に行うことができると共に作業性を向上することができ、作業後にねじ杆体２を逆方向に回動することにより取付部材３は後退動作し、矯正部材１・１は隣り合う側溝Ｗ・Ｗの継目部分Ｗ１・Ｗ１の各対向壁部内面Ｍ・Ｍ・Ｍ・Ｍから釈放されて容易に取り外すことができる。
【００１２】
又、この場合、上記ねじ杆体３にハンドル杆４を設けてなるから、ねじ杆体２の正逆回動を容易に行うことができ、又、この場合、上記連結部材３に上記矯正部材１・１を首振機構５により首振動作自在に取付けてなるから、矯正部材１・１を各対向壁部内面Ｍ・Ｍ・Ｍ・Ｍに良好に圧接することができる。
【００１３】
図７、図８の第二形態例は別例構造を示し、この場合、連結部材３・３は、アングル状に形成され、一方端部にねじ杆体２の右ねじ２ａが螺着されるナットからなるめねじ部３ａが形成され、他方端部にねじ杆体２の左ねじ２ｂが螺着されるナットからなるめねじ部３ｂが形成され、各連結部材３・３にそれぞれ首振機構５・５により首振動作自在に矯正部材１・１を取り付けて構成している。
【００１４】
この第二形態例にあっても、上記第一形態例と同様な作用効果を得ることができる。
【００１５】
尚、本発明は上記実施の形態例に限らず、矯正部材１、ねじ杆体２及び連結部材３の形態や構造、首振機構５の形態や構造、大きさ等は適宜変更して設計される。
【００１６】
【発明の効果】
本発明は上述の如く、請求項１記載の発明にあっては、隣り合う側溝の継目部分の各対向壁部内面間に同時圧接可能な圧接面をもつ左右一対の矯正部材を対向配置し、ねじ杆体を一方向に回動することによりねじ杆体の両端部にそれぞれ螺着された連結部材を介して左右一対の矯正部材を対向壁部内面同時圧接することができ、隣り合う側溝の継目部分のずれを矯正することができ、目違いの発生を抑制することができ、側溝の布設を良好に行うことができると共に作業性を向上することができる。
【００１７】
又、請求項２記載の発明にあっては、上記ねじ杆体にハンドル杆を設けてなるから、ねじ杆体の正逆回動を容易に行うことができ、又、請求項３記載の発明にあっては、上記連結部材に上記矯正部材を首振機構により首振動作自在に取付けてなるから、矯正部材を各対向壁部内面に良好に圧接することができる。
【００１８】
以上所期の目的を充分達成することができる。
【図面の簡単な説明】
【図１】本発明の実施の第一形態例の全体斜視図である。
【図２】本発明の実施の第一形態例の使用状態の斜視図である。
【図３】本発明の実施の第一形態例の使用状態の平面図である。
【図４】本発明の実施の第一形態例の使用状態の側面図である。
【図５】本発明の実施の第一形態例の使用状態の拡大部分断面図である。
【図６】本発明の実施の第一形態例の部分側面図である。
【図７】本発明の実施の第二形態例の使用状態の側面図である。
【図８】本発明の実施の第二形態例の部分側面図である。
【符号の説明】
Ｗ  側溝
Ｗ１  継目部分
Ｍ  対向壁部内面
１  矯正部材
２  ねじ杆体
３  連結部材
５  首振機構
【図１】
2004257029.tif 000003
【図２】
2004257029.tif 000004
【図３】
2004257029.tif 000005
【図４】
2004257029.tif 000006
【図５】
2004257029.tif 000007
【図６】
2004257029.tif 000008
【図７】
2004257029.tif 000009
【図８】
2004257029.tif 000010